【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
−  第一の屈折率を有する光伝導素子（４）であって、光源（５）と２つの第一及び第二の反対側の主要面（４及び４ｂ）に連結された入射ゾーンを有し、前記光源から受け取った光（６）を入射させて、前記主要面間の全内部反射によりこれを伝導し、前記伝導された光（７）を前記光伝導素子から部分的に射出させるように構成された光伝導素子と、
−  前記光伝導素子の前記第一の主要面に面する内面（２ａ、３ａ）を含む少なくとも１つの基板（２、３）と、
−  前記第一の主要面及び前記内面と接触し、それらの間に、第一の反射率より低いギャップ反射率を有し、前記光伝導素子を光学的に絶縁するギャップ（１１ａ、１１ｂ）を画定する介在手段（１０ａ、１０ｂ、１０ｂ’、１０ｂ’’）と、
を含む、特にヘッドマウントディスプレイで使用可能な光学機器（１、１’、１’’、１’’’）において、
前記介在手段は、周辺長さを有し、前記周辺長さに沿って、前記内面の周辺領域（２ａａ、３ａａ）と前記第一の主要面の、前記周辺領域に面するゾーン（４ａａ、４ｂａ）との間に、それらと密着接触して延びる周辺シール機構（１０ａ、１０ｂ、１０ｂ’、１０ｂ’’）を含み、前記シール機構の、前記周辺長さに沿った少なくとも１部分（４’’）では、前記周辺長さの残りの部分（４’）と比較して局所的に前記第一の主要面との光結合の減少を示し、前記光伝導素子内部で前記少なくとも１部分における前記内部反射を保存するように構成されることを特徴とする光学機器。
【請求項２】
前記周辺シール機構（１０ａ、１０ｂ、１０ｂ’、１０ｂ’’）は、前記周辺長さにわたり、閉又は開ループの形態で延びる少なくとも１つの弾性又は可塑性周辺シール（１２ａ、１２ｂ、１２ｂ’、１２ｂ’’、１２ｃ、１２ｄ）を含み、前記少なくとも１部分（４’’）で、前記光結合の減少を示すように構成され、前記少なくとも１つの周辺シール及び前記第一の主要面（４ａ、４ｂ）と接触する光絶縁手段（１３ａ、１３ｂ、１３’、１３’’、１３’’’、１５、１６）をさらに内蔵する、請求項１に記載の光学機器（１、１’、１’’、１’’’）。
【請求項３】
前記周辺シール機構（１０ａ、１０ｂ、１０ｂ’、１０ｂ’’）は、前記少なくとも１つの基板（２、３）の前記内面（２ａ、３ａ）及び前記光伝導素子（４）の第一の面（４ａ、４ｂ）と非接着接触し、前記光絶縁手段（１３ａ、１３ｂ、１３’、１３’’、１３’’’、１５、１６）は、前記少なくとも１つの周辺シール（１２ａ、１２ｂ、１２ｂ’、１２ｂ’’、１２ｃ、１２ｄ）と接着又は非接着接触している、請求項２に記載の光学機器（１、１’、１’’、１’’’）。
【請求項４】
前記少なくとも１つの周辺シール（１２ａ、１２ｂ、１２ｂ’、１２ｂ’’、１２ｃ、１２ｄ）は、前記ギャップ（１１ａ、１１ｂ）への水や埃の侵入を防止するように適合され、
−  多角形又は長円形の断面を有するゴム製シールと、
−  任意選択でマイクロビーズを含む多層熱可塑性接着シールと、
から選択される、請求項２又は３に記載の光学機器（１、１’、１’’、１’’’）。
【請求項５】
前記光絶縁手段（１３ａ、１３ｂ、１５、１６）は、
（ｉ）フィルムと前記第一の主要面（４ａ、４ｂ）との間の界面において屈折率の急激な変化を画定することのできるナノ突起（１４）を有するナノ構造フィルム（１３’）、
（ｉｉ）前記第一の主要面からの前記光（７）を反射させることができ、前記第一の主要面との接触領域を示す単層又は多層ミラーフィルム（１３’’、１３’’’）、
（ｉｉｉ）前記第一の主要面（４ｂ）と接触せず、前記光源（５）及び前記少なくとも１つの基板（３）の周辺縁（３ｃ）と接触して取り付けられ、前記光源は前記光伝導素子（４）にその接続ゾーン（４ｄ）上で接続されているシール部材（１５、１６）であって、前記周辺シール（１２ｂ’、１２ｂ’’）に局所的に置き換わり、前記開ループにより画定される開放部において前記周辺シール（１２ｂ’、１２ｂ’’）に接続される、シール部材（１５、１６）、及び／又は
（ｉｖ）前記第一の主要面と前記内面（２ａ、３ａ）との間で圧縮され、前記第一の主要面との接触領域を示す柔軟なガスケット
から選択され、
前記接触領域は、その周辺方向においては、前記少なくとも１部分（４’’）の長さ（Ｌ）と、前記長さに垂直な横方向においては、前記第一の主要面と接触する前記少なくとも１部分の幅（Ｗ）により画定される、請求項２〜４の何れか１項に記載の光学機器（１、１’、１’’、１’’’）。
【請求項６】
前記光絶縁手段（１３ａ、１３ｂ）は、各々がその底部（１４ａ）から端（１４ｂ）へと先細である前記ナノ突起（１４）により画定され、前記底部から前記端へと連続的に減少する、入射光により見られる実際の屈折率を示すモスアイフィルムである前記ナノ構造フィルム（１３’）を含み、前記ナノ構造フィルムは、前記少なくとも１つの周辺シール（１２ａ、１２ｂ、１２ｃ、１２ｄ）に接着剤で結合される、請求項５に記載の光学機器（１、１’）。
【請求項７】
前記光絶縁手段（１３ａ、１３ｂ）は、前記第一の主要面（４ａ、４ｂ）の上に堆積される前記単層又は多層ミラーフィルム（１３’’、１３’’’）を含む、請求項５に記載の光学機器（１、１’）。
【請求項８】
前記光絶縁手段（１３ａ、１３ｂ）は、２００μｍ未満である前記第一の主要面（４ａ、４ｂ）と接触する前記幅（Ｗ）を有する前記圧縮された柔軟なガスケットを含む、請求項５に記載の光学機器（１、１’）。
【請求項９】
前記ギャップ（１１ａ、１１ｂ）は、前記光源（５）の発光波長より大きいか、それと等しく、少なくとも７００ｎｍである厚さを有する、請求項１〜８の何れか１項に記載の光学機器（１、１’、１’’、１’’’）。
【請求項１０】
前記少なくとも１部分（４’’）は、前記周辺シール機構（１０ａ、１０ｂ、１０’、１０ｂ’’）の、前記光伝導素子（４）の前記光源（５）に近い前記入射ゾーンに面する近接区間を含む、請求項１〜９の何れか１項に記載の光学機器（１、１’、１’’、１’’’）。
【請求項１１】
前記光伝導素子（４）は、
−  前記ヘッドマウントディスプレイによる拡張現実の情報表示を提供し、前記光伝導素子は、前記少なくとも１つの基板（２、３）を通じて装用者の眼に向かって前記伝導された光を部分的に射出させ、又は
−  照明もしくは測定を提供する
ように構成される、請求項１〜１０の何れか１項に記載の光学機器（１、１’、１’’、１’’’）。
【請求項１２】
それぞれ、前記光伝導素子（４）の前記第一及び第二の主要面（４ａ及び４ｂ）に面する第一及び第二の内面（２ａ及び３ａ）を有する第一及び第二の基板（２、３）の少なくとも１つのペアを含み、
−  前記第一の内面の第一の前記周辺領域（２ａａ）及び前記第一の主要面の、前記第一の周辺領域に面する第一の前記ゾーン（４ａａ）との間の第一の前記周辺シール機構（１０ａ）、及び／又は
−  前記第二の内面の第二の前記周辺領域（３ａａ）及び前記第二の主要面の、前記第二の周辺領域に面する第二の前記ゾーン（４ｂａ）との間の第二の前記周辺シール機構（１０ｂ）
を含む、請求項１〜１１の何れか１項に記載の光学機器（１、１’）。
【請求項１３】
前記第一及び第二の基板（２及び３）の前記少なくとも１つのペアはそれぞれ、
−  前側眼科レンズと、
−  装用者の眼に近い、後側眼科レンズ
を形成するように設計され、
前記第一及び第二の基板の前記少なくとも１つのペアは、前記レンズにより提供される光学的補正を介して、前記光学機器に、光学力、乱視度数、及び／又は加入度を含む所定の処方データを付与するように適合される
請求項１２に記載の光学機器（１、１’）。
【請求項１４】
装用者のために拡張現実の情報表示を提供するように構成されたヘッドマウント機器において、
請求項１〜１３の何れか１項に記載の光学機器（１、１’、１’’、１’’’）を含むことを特徴とするヘッドマウント機器。
【請求項１５】
光学力、乱視度数、及び／又は加入度を含む装用者の処方データに合わせて、前記光伝導素子（４）の両側に配置され、第一の前記周辺シール機構（１０ａ）により、及び第二の前記周辺シール機構（１０ｂ）によりそれから分離され、非接着接触する、光学的補正を行う眼科レンズを形成する２つの第一及び第二の前記基板（２及び３）の少なくとも１つのペアによって適合される、請求項１４に記載のヘッドマウント機器。
【請求項１６】
前記少なくとも１つの周辺シール（１２ａ、１２ｂ、１２ｂ’、１２ｂ’’、１２ｃ、１２ｄ）は、
−  正方形又は円形の断面を有するゴム製シールと、
−  感圧層であり、トリアセチルセルロースである内層の両側に提供される２つの接着剤外層を含む多層熱可塑性接着シールと、
から選択される、請求項４に記載の光学機器（１、１’、１’’、１’’’）。
【請求項１７】
前記シール部材（１５、１６）が、
−  前記周辺縁（３ｃ）と接触するシール本体（１５ａ）と、前記シール本体を延ばし、前記光源（５）と接触するシールリップ（１５ｂ）、又は
−  前記接続ゾーン（４ｄ）の、前記光源（５）を取り囲む領域（４ｄａ）に結合され、それぞれ前記周辺縁（３ｃ）及び前記光源と接触する２つの局所シール（１６ｂ及び１６ｃ）が設けられた２つの突出する対向面を画定する接続素子（１６ａ）
を含む、請求項５に記載の光学機器（１、１’、１’’、１’’’）。
【請求項１８】
前記ナノ突起（１４）は、各々が実質的に円錐状にその底部（１４ａ）から端（１４ｂ）へと先細であり、前記ナノ構造フィルムは、前記第一の主要面（４ａ、４ｂ）と、前記先細のナノ突起の前記端により接触する、請求項６に記載の光学機器（１、１’）。
【請求項１９】
前記単層又は多層ミラーフィルム（１３’’、１３’’’）は、前記第一の主要面（４ａ、４ｂ）の上に、アルミニウム層の、又は反射インクの物理蒸着により堆積され、２００μｍ未満の、前記第一の主要面と接触する前記幅（Ｗ）を有する、請求項７に記載の光学機器（１、１’）。
【請求項２０】
前記ギャップ（１１ａ、１１ｂ）は空気で満たされ、少なくとも１μｍである、前記光源（５）の発光波長より大きいか、それと等しい、前記厚さを有する、請求項９に記載の光学機器（１、１’、１’’、１’’’）。
【請求項２１】
前記光伝導素子（４）は、導光光学素子（ＬＯＥ）である、請求項１１に記載の光学機器（１、１’、１’’、１’’’）。
【請求項２２】
前記光学機器が、
−  前記第一の内面の第一の前記周辺領域（２ａａ）及び前記第一の主要面の、前記第一の周辺領域に面する第一の前記ゾーン（４ａａ）との間の、それらと非接着接触する前記第一の前記周辺シール機構（１０ａ）、及び／又は
−  前記第二の内面の第二の前記周辺領域（３ａａ）及び前記第二の主要面の、前記第二の周辺領域に面する第二の前記ゾーン（４ｂａ）との間の、それらと非接着接触する前記第二の前記周辺シール機構（１０ｂ）
を含む、請求項１２に記載の光学機器（１、１’）。
【請求項２３】
前記第一及び第二の基板（２及び３）の前記少なくとも１つのペアはそれぞれ、
−  平面である第一の内面（２ａ）と、凸状の第一の反対の外面（２ｂ）を有する前記前側眼科レンズと、
−  平面である第二の内面（３ａ）と第二の反対の外面（３ｂ）を有する前記後側眼科レンズ
を形成するように設計される、請求項１３に記載の光学機器（１、１’）。
【請求項２４】
ヘッドマウント機器が、そのフレームに埋め込まれ、前記光伝導素子（４）が連結される前記光源（５）を形成するマイクロディスプレイプロジェクタ（ＰＯＤ）を含む、請求項１４に記載のヘッドマウント機器。